(57)【要約】【課題】省電力化に寄与できる上に、予め設定されている通信エリア内に入ったときに必要な通信が確保でき、かつ、他の無線通信に混信を与えることがないタグ装置の提供。【解決手段】タグ装置２は、リーダライタから発射される指向性が弱く回折性のある第１の電波を受信可能な第１通信モジュール２１と、第１の電波よりも指向性が強く直進性のある第２の電波を使用して上記のリーダライタとの間で無線通信を行う第２通信モジュール２２と、を含んでいる。第１通信モジュール２１は、第１の電波を受信したときに予め設定してある通信エリア内に入ったことを認識する。第２通信モジュール２２は、その認識があったときに、リーダライタとの間で所定の無線通信を開始する。【選択図】  図２
2007295168.tif 000002
【特許請求の範囲】
【請求項１】
指向性の弱い第１の電波を受信可能な第１通信手段と、
前記第１の電波よりも指向性の強い第２の電波を使用して無線通信が可能な第２通信手段と、を少なくとも備え、
前記第１通信手段は、前記第１の電波を受信可能とし、その受信をしたときに予め設定してある通信エリア内にあるものと認識するようになっており、
前記第２通信手段は、その認識があったことを条件に、前記第２の電波を使用して所定の無線通信を開始するようになっていることを特徴とするタグ装置。
【請求項２】
リーダライタから発射される指向性の弱い第１の電波を受信可能な第１通信手段と、
前記第１の電波よりも指向性の強い第２の電波を使用して前記リーダライタとの間で無線通信を行う第２通信手段と、
前記第１通信手段を使用して前記リーダライタからの前記第１の電波をまず受信可能にさせ、その受信があったときに予め設定してある通信エリア内に入ったことを認識し、これを認識したときに、前記第２通信手段が前記第２の電波を使用して前記リーダライタとの間で所定の無線通信を開始させるようにする通信制御手段と、
を備えていることを特徴とするタグ装置。
【請求項３】
前記第２通信手段が前記第２の電波を使用して前記リーダライタとの間で行う所定の無線通信は、一方向および双方向の無線通信うちのいずれか一方であることを特徴とする請求項１または請求項２に記載のタグ装置。
【請求項４】
前記第１の電波は指向性が弱く回折性のある電波であり、前記第２の電波は指向性が強く直進性のある電波であることを特徴とする請求項１、請求項２、または請求項３に記載のタグ装置。
【請求項５】
前記第１の電波は長波帯の電波であり、前記第２の電波はＶＨＦ帯またはＵＨＦ帯の電波であることを特徴とする請求項４に記載のタグ装置。
【請求項６】
前記第１通信手段が前記リーダライタからの第１の電波を受信可能な第１の通信エリアの大きさは、前記第２通信手段が前記リーダライタとの間で第２の電波を使用して双方向の無線通信が可能な第２の通信エリアの大きさに対して小さく設定してあることを特徴とする請求項２乃至請求項５のうちのいずれかに記載のタグ装置。
【請求項７】
リーダライタと、前記リーダライタとの間で無線通信を行うタグ装置とを含むＩＣタグシステムにおいて、
前記リーダライタは、予め設定してある通信エリア内において指向性の弱い第１の電波を発射するとともに、前記第１の電波よりも指向性の強い第２の電波を使用して前記タグ装置との間で無線通信を行うようになっており、
前記タグ装置は、前記リーダライタから発射される第１の電波をまず受信可能とし、第１の電波を受信したときに前記通信エリア内に自己が入ったものと認識し、この認識を条件に、前記リーダライタとの間で前記第２の電波を使用して所定の無線通信を開始するようになっていることを特徴とするＩＣタグシステム。
【請求項８】
前記タグ装置が前記第２の電波を使用して前記リーダライタとの間で行う所定の無線通信は、一方向および双方向の無線通信うちのいずれか一方であることを特徴とする請求項７に記載のＩＣタグシステム。
【請求項９】
前記第１の電波は指向性が弱く回折性のある電波であり、前記第２の電波は指向性が強く直進性のある電波であることを特徴とする請求項７または請求項８に記載のＩＣタグシステム。
【請求項１０】
前記第１の電波は長波帯の電波であり、前記第２の電波はＶＨＦ帯またはＵＨＦ帯の電波であることを特徴とする請求項９に記載のＩＣタグシステム。
【請求項１１】
前記タグ装置が前記リーダライタからの第１の電波を受信可能な第１の通信エリアの大きさは、前記タグ装置が前記リーダライタとの間で第２の電波を使用して双方向の無線通信が可能な第２の通信エリアの大きさに対して小さく設定してあることを特徴とする請求項７乃至請求項１０のうちのいずれかに記載のＩＣタグシステム。
【請求項１２】
前記リーダライタは、前記タグ装置との間の無線通信により獲得された所定の情報について認証を行うようになっていることを特徴とする請求項７乃至請求項１１のうちのいずれかに記載のＩＣタグシステム。
【発明の詳細な説明】
【技術分野】
【０００１】
本発明は、タグ装置、およびそのタグ装置とリーダライタを含み両者の間で電磁波（電波）を使用して無線通信が可能なＩＣタグシステムに関するものである。
【背景技術】
【０００２】
従来、例えば、特定の施設に出入りする人間や動物を管理するための管理システムなどに使用される無線式のタグ装置が知られている（例えば、特許文献１参照）。
このタグ装置は、受信待機時には特定の回路のみが動作する省電力モードとし、通信時には特定の無線周波数にのみ反応する構成とすることで、内蔵する電池の寿命の延長を可能にし、電池の交換頻度を少なくしたものである。
このように、従来のタグ装置は、内蔵する電池の寿命を長期化させて省電力化に寄与できるという利点がある。
【特許文献１】特開２００３−１１５０３３号公報
【発明の開示】
【発明が解決しようとする課題】
【０００３】
ところで、無線式のタグ装置は、リーダライタとの間で、双方向の無線通信を行うことができるＩＣタグシステムを構成することができる。
このため、この種のＩＣタグシステムでは、タグ装置とリーダライタとの間で無線通信する際に、そのタグ装置が予め設定されている通信エリアに入ったときに、必要な通信が確保されることが望まれるが、それ設定することが困難である。しかも、そのときには、タグ装置は、他の無線通信に混信を与えたりしないことが望まれる。
【０００４】
そこで、本発明の目的は、上記の点に鑑み、省電力化に寄与できる上に、予め設定されている通信エリア内に入ったときに必要な通信が確保でき、かつ、他の無線通信に混信を与えることがないタグ装置を提供することにある。
本発明の他の目的は、予め設定されている通信エリア内にタグ装置が入ったときに必要が通信が確保できる上に、他の無線通信に混信を与えることがないＩＣタグシステムを提供することにある。
【課題を解決するための手段】
【０００５】
本発明の請求項１に係るタグ装置は、指向性の弱い第１の電波を受信可能な第１通信手段と、前記第１の電波よりも指向性の強い第２の電波を使用して無線通信が可能な第２通信手段と、を少なくとも備え、前記第１通信手段は、前記第１の電波を受信可能とし、その受信をしたときに予め設定してある通信エリア内にあるものと認識するようになっており、前記第２通信手段は、その認識があったことを条件に、前記第２の電波を使用して所定の無線通信を開始するようになっている。
【０００６】
本発明の請求項２に係るタグ装置は、リーダライタから発射される指向性の弱い第１の電波を受信可能な第１通信手段と、前記第１の電波よりも指向性の強い第２の電波を使用して前記リーダライタとの間で無線通信を行う第２通信手段と、前記第１通信手段を使用して前記リーダライタからの前記第１の電波をまず受信可能にさせ、その受信があったときに予め設定してある通信エリア内に入ったことを認識し、これを認識したときに、前記第２通信手段が前記第２の電波を使用して前記リーダライタとの間で所定の無線通信を開始させるようにする通信制御手段と、を備えている。
【０００７】
本発明の請求項３に係るタグ装置は、請求項１または請求項２に記載のタグ装置において、前記第２通信手段が前記第２の電波を使用して前記リーダライタとの間で行う所定の無線通信は、一方向および双方向の無線通信うちのいずれか一方である。
本発明の請求項４に係るタグ装置は、請求項１、請求項２、または請求項３に記載のタグ装置において、前記第１の電波は指向性が弱く回折性のある電波であり、前記第２の電波は指向性が強く直進性のある電波である。
【０００８】
本発明の請求項５に係るタグ装置は、請求項４に記載のタグ装置において、前記第１の電波は長波帯の電波であり、前記第２の電波はＶＨＦ帯またはＵＨＦ帯の電波である。
本発明の請求項６に係るタグ装置は、請求項２乃至請求項５のうちのいずれかに記載のタグ装置において、前記第１通信手段が前記リーダライタからの第１の電波を受信可能な第１の通信エリアの大きさは、前記第２通信手段が前記リーダライタとの間で第２の電波を使用して双方向の無線通信が可能な第２の通信エリアの大きさに対して小さく設定してある。
【０００９】
本発明の請求項７に係るＩＣタグシステムは、リーダライタと、前記リーダライタとの間で無線通信を行うタグ装置とを含むＩＣタグシステムにおいて、前記リーダライタは、予め設定してある通信エリア内において指向性の弱い第１の電波を発射するとともに、前記第１の電波よりも指向性の強い第２の電波を使用して前記タグ装置との間で無線通信を行うようになっており、前記タグ装置は、前記リーダライタから発射される第１の電波をまず受信可能とし、第１の電波を受信したときに前記通信エリア内に自己が入ったものと認識し、この認識を条件に、前記リーダライタとの間で前記第２の電波を使用して所定の無線通信を開始するようになっている。
【００１０】
本発明の請求項８に係るＩＣタグシステムは、請求項７に記載のＩＣタグシステムにおいて、前記タグ装置が前記第２の電波を使用して前記リーダライタとの間で行う所定の無線通信は、一方向および双方向の無線通信うちのいずれか一方である。
本発明の請求項９に係るＩＣタグシステムは、請求項７または請求項８記載のＩＣタグシステムにおいて、前記第１の電波は指向性が弱く回折性のある電波であり、前記第２の電波は指向性が強く直進性のある電波である。
本発明の請求項１０に係るＩＣタグシステムは、請求項９記載のＩＣタグシステムにおいて、前記第１の電波は長波帯の電波であり、前記第２の電波はＶＨＦ帯またはＵＨＦ帯の電波である。
【００１１】
本発明の請求項１１に係るＩＣタグシステムは、請求項７乃至請求項１０のうちのいずれかに記載のＩＣタグシステムにおいて、前記タグ装置が前記リーダライタからの第１の電波を受信可能な第１の通信エリアの大きさは、前記タグ装置が前記リーダライタとの間で第２の電波を使用して双方向の無線通信が可能な第２の通信エリアの大きさに対して小さく設定してある。
本発明の請求項１２に係るＩＣタグシステムは、請求項７乃至請求項１１のうちのいずれかに記載のＩＣタグシステムにおいて、前記リーダライタは、前記タグ装置との間の無線通信により獲得された所定の情報について認証を行うようになっている。
【発明の効果】
【００１２】
本発明に係るＩＣタグシステムでは、第１の電波で通信可能な通信エリアを予め設定しておくが、この場合に第１の電波は指向性が弱く、または無指向性であって回折性があのので、その通信エリアの大きさを明確化できる上に、その境界を明確化できる。
このため、本発明に係るタグ装置がその通信エリアに入った場合には、タグ装置はその第１の電波を必ず受信でき、これによりタグ装置はその通信エリア内に存在することを確実に認識できる。そして、タグ装置は、その認識を条件に、指向性が強く、または指向性があって直進性のある第２の電波を使用して、リーダライタとの間で本来の無線通信を開始することができる。
【００１３】
従って、本発明に係るタグ装置は、予め設定してある通信エリア内に入っているときだけウェイクアップモードで本来の通信を行うことができ、それ以外のときにはスリープモードで動作させることができるので、消費電力を低減化させて電池の使用期間の長期化を図ることができる。
また、本発明に係るＩＣタグシステムでは、予め設定する通信エリアの大きさや境界を明確化でき、タグ装置はその通信エリア内に入っているときにのみ、第２の電波を使用してリーダライタとの間で本来の通信を行うことができる。このため、タグ装置は、その設定されている通信エリア内に存在するときだけリーダライタとの間で所望の本来の通信ができ、闇雲な通信を行うことがないので、セキュリティを確保できる。
【００１４】
さらに、本発明に係るＩＣタグシステムでは、タグ装置は、予め設定されている通信エリア内に入ったときに、リーダライタとの間で本来の通信を行うために初めて第２の電波を発射し、それ以外のときには第２の電波を発射することはない。このため、複数のタグ装置の間の混信（電波干渉）を極力避けることが可能になる。
【発明を実施するための最良の形態】
【００１５】
以下、本発明の実施の形態を、図面を参照して説明する。
（システム全体の構成）
図１に示すように、本発明に係るＩＣタグシステムは、親機として機能するリーダライタ１と、そのリーダライタ１との間で無線通信を行うことができ子機として機能する複数のタグ装置２ａ〜２ｃとを含み、リーダライタ１はネットワーク３によりＬＡＮやインターネットに接続可能になっている。
【００１６】
リーダライタ１は、予め設定してある通信エリア内において所定の第１の電波を発射（放射）するとともに、タグ装置２ａ〜２ｃとの間で所定の第２の電波を使用して一方向または双方向の無線通信を行うことできるようになっていることを特徴とする。
このリーダライタ１は、例えば、所定の生活空間内に分散配置された、物理的な機能や情報的な機能を有する個々の機器、例えば、コピー機、パーソナルコンピュータ、家庭内の電化製品などに付加、装着、あるいは取り付けられて使用される。また、リーダライタ１は、それら使用対象物との間で着脱自在に構成するようにしても良い。
【００１７】
ここで、第１の電波と第２の電波は、この明細書では以下のように定義する。
すなわち、第１の電波とは、指向性を有しないか、または指向性が弱く、回折性のある電波を意味し、例えば長波帯の電波であって、その周波数が１３５〔ｋＨｚ〕などの電波である。
また、第２の電波とは、指向性を有するか、または第１の電波よりも相対的に指向性が強く、直進性のある電波を意味し、例えば、ＶＨＦ帯やＵＨＦ帯の電波であって、その周波数が３００〔ＭＨｚ〕などの電波である。
【００１８】
タグ装置２ａ〜２ｃは、リーダライタ１から発射される第１の電波をスリープモード（低消費電力モード）でまず受信するようにし、その第１の電波を受信したときに予め設定してある通信エリア内に自己が存在するものと認識し、この認識を条件に、ウェイクアップモード（通常動作モード）でリーダライタ１との間で第２の電波を使用して所定の一方向または双方向の無線通信を開始するようになっていることを特徴とする。
【００１９】
このタグ装置２ａ〜２ｃは、リーダライタ１が使用される対象物に応じて、例えば人間、動物、移動体が携帯して使用するようになっている。
（リーダライタの構成）
リーダライタ１は、図１に示すように、第１通信モジュール１１と、第２通信モジュール１２と、メモリ１３と、制御部１４と、ＬＡＮアダプタ１５と、を少なくとも備えている。
【００２０】
第１通信モジュール１１は、アンテナ（図示せず）を有し、そのアンテナからタグ装置２ａ〜２ｃが受信するための第１の電波を、予め設定されている通信エリア内において発射するようになっている。その第１の電波は、例えば連続的または間欠的に発射するようになっている。
その第１の電波としては、長波帯の電波が使用され、例えば周波数が１３５〔ｋＨｚ〕の電波が使用される。第１通信モジュール１１のアンテナは、長波帯の電波の性質、すなわち指向性が弱くて無指向性であることや回折性を活かすために、ループアンテナなどを使用している。
【００２１】
ここで、第１通信モジュール１１は、第１の電波を発射するだけでなく、その第１の電波を受信して、タグ装置２ａ〜２ｃとの間で送受信ができるようにしても良い。
第２通信モジュール１２は、アンテナ（図示せず）を有し、そのアンテナで第２の電波を送信または受信することで、タグ装置２ａ〜２ｃとの間で双方向の無線通信を行うようになっている。
【００２２】
その第２の電波としては、ＶＨＦ帯やＵＨＦ帯の電波が使用され、例えば周波数が３００〔ＭＨｚ〕の電波が使用される。第２通信モジュール１２のアンテナは、ＶＨＦ帯やＵＨＦ帯の電波の性質、すなわち指向性が強いことや直進性を活かすために、ダイポールアンテナなどを使用している。
メモリ１３には、所定の処理や各部の制御を行うためのプログラムなどが予め格納されている。制御部１４は、ＣＰＵなどからなり、メモリ１３に格納されているプログラムに従って、所定の処理や各部の制御を行うようになっている。
【００２３】
ＬＡＮアダプタ１５は、リーダライタ１をネットワーク３と接続するために使用するものである。従って、リーダライタ１は、ＬＡＮアダプタ１５を介してネットワーク３に接続されている。そして、個々のタグ装置２ａ〜２ｃにネットワークアドレスを割り振り、外部ネットワークからタグ装置２ａ〜２ｃにアクセスできるようになっている。
【００２４】
（タグ装置の構成）
次に、図１に示すタグ装置２ａ〜２ｂは、この例では全て同様に構成するので、その具体的な構成について、図２を参照して説明する。
図２に示すように、タグ装置２は、第１通信モジュール２１と、第２通信モジュール２２と、タイマモジュール２３と、メモリモジュール２４と、電池モジュール２５と、処理モジュール２６と、機能モジュール２７とを含んで構成されている。
第１通信モジュール２１は、第１の電波を受信するためのアンテナ２１１を有し、そのアンテナ２１１を使用して、リーダライタ１の第１通信モジュール１１から発射される第１の電波を受信して所定の信号処理を行うようになっている。
【００２５】
アンテナ２１１は、第１の電波の性質である無指向性、回折性を活かして効率的に受信するために、例えばループアンテナやバーアンテナが使用される。
ここで、第１通信モジュール２１は、その第１通信モジュール１１が発射する第１の電波を受信する機能の他に、その第１の電波を第１通信モジュール１１に送信できるようにして、両者の間で双方向の無線通信が行えるようにしても良い。
【００２６】
第２通信モジュール２２は、第２の電波を送受信するためのアンテナ２２１を有し、そのアンテナ２２１を使用して第２の電波を送受信することで、リーダライタ１の第２通信モジュール１２との間で双方向の無線通信を行うようになっている。
アンテナ２２１は、第２の電波の性質、すなわち指向性や直進性を活かして、リーダライタ１の第２通信モジュール１２と効率的な双方向の無線通信を行うために、ダイポールアンテナなどを使用している。
【００２７】
タイマモジュール２３は、時間を管理し、スリープモードの状態から予め定められたタイミング、例えば一定時間毎にタグを起動させたり、起動後一定時間経過したらスリープモードに移行させたりする処理を行う部分である。このように、特定時間のみタグ装置を動作させることで、消費電力を抑え、電池モジュール２５の電池容量を節約できる。このタイマモジュール２３の機能により、電源の長寿命化を実現できる。
【００２８】
メモリモジュール２４は、図３に示すような制御処理を実現するプログラム、個々のタグ装置に付与されているＩＤ、リーダライタ１が認証を行うためにリーダライタ１に送信するための認証情報（パスワード）などが予め記憶されている。このメモリモジュール２４は、例えば半導体メモリを用いて構成されている。
電池モジュール２５は、タグ装置２の各部に電力を供給する部分である。この電池モジュール２５には、例えば周知のボタン電池を用いる。
【００２９】
処理モジュール２６には、周知のＰＩＣ（Ｐｒｏｇｒａｍｍａｂｌｅ  Ｉｎｔｅｇｒａｔｅｄ  Ｃｉｒｃｕｉｔ）などの簡易ＣＰＵ（Ｃｅｎｔｒａｌ  Ｐｒｏｃｅｓｓｉｎｇ  Ｕｎｉｔ）を使う。この処理モジュール２６は、メモリモジュール２４に記憶されているプログラムに従って所定の処理を行う。
例えば、第１通信モジュール２１を使用してリーダライタ１の第１通信モジュール１１からの第１の電波をまず受信可能にさせ、その受信があったときに所定の通信エリア内に入ったことを認識し、これを認識したときに、第２通信モジュール２２が第２の電波を使用してリーダライタ１の第１通信モジュール１２との間で一方向または双方向の無線通信を開始させるようにする通信制御処理を行う。
【００３０】
機能モジュール２７には、種々の機能を具備させることができる。物理的な機能としては、単なるＬＥＤ点灯、文字表示、音声出力するブザーなどに加え、スイッチやセンサ的な機能を有するもの、アクチュエータなど機械的な機能を有するものなどが考えられる。複数種類の機能を具備させても良い。この機能モジュール２７については、一部又は全部を、後付け追加できる構成としても良い。
この機能モジュール２７には、センサ測定時やアクチュエータ動作時など、その機能を発現させる時にのみ電源が供給されるので、消費電力を抑え、電池モジュール２５の電池容量を節約できる。
このような構成からなるタグ装置２は、小電力無線機器であるので、使用に際して免許は不要である。
【００３１】
（通信処理例）
次に、本発明に係るＩＣタグシステムの通信処理例について、図３および図４を参照して説明する。
以下では、図１に示すリーダライタ１とタグ装置２ａとの間の通信処理例について説明する。
リーダライタ１の第１通信モジュール１１は、図４に示すように予め設定されている通信エリアＡ内において、第１の電波を発射している。この第１の電波は、指向性が弱くて無指向性であるので第１通信モジュール１１を中心に全方向に放射される上に、回折性をもっているので障害物があっても後方に周り込むことができる。
【００３２】
このような状態の下で、タグ装置２ａは、通常動作時には、スリープモードになっている（ステップＳ１）。これにより、消費電力を抑えることができ、小容量の電池を電源として用いることができる。このスリープモードでは、第１通信モジュール２１のみが動作状態にある。
そこで、タグ装置２ａがリーダライタ１に接近し、第１の電波を受信可能な通信エリアＡに入ると、タグ装置２ａの第１通信モジュール２１はその第１の電波を受信する（ステップＳ２）。
【００３３】
ここで、リーダライタ１の第１通信モジュール１１から発射される第１の電波は、その伝搬距離は比較的短いが（例えば１〔ｍ〕程度）、無指向性で回折性があるので、その第１の電波による通信エリアＡは、図４に示すように、平面内ではリーダライタ１を中心に半径ｒ１の円になる。
このため、その通信が可能な通信エリアＡを予め明確に設定でき、第１通信モジュール２１は、その設定されている通信エリアＡ内にが入った場合には、第１通信モジュール１１との相対的な位置や向きにかかわらず第１の電波を確実に受信でき、その通信エリアＡ外にある場合には第１の電波を受信できない。
【００３４】
従って、この意味で、タグ装置２ａの第１通信モジュール２１がリーダライタ１の第１通信モジュール１１との間で行う無線通信は、その位置に依存することになるので、位置依存型の通信といえる。
ここで、図４に示す所定の通信エリアＡの大きさは、リーダライタ１の第１通信モジュール１１の送信能力（例えば、送信電力、アンテナの電波放射効率など）と、タグ装置２ａの第１通信モジュール２１の受信能力（たとえば、アンテナの受信効率、高周波増幅器の増幅率など）に依存するので、それらによって決定される。
【００３５】
処理モジュール２６は、第１通信モジュール２１が第１の電波を受信したか否を検出しており、その第１の電波を検出したことを認識すると、これを条件に、動作をスリープモードからウェイクアップモードに切り換える（ステップＳ３）。
このウェイクアップモードの開始により、タグ装置２ａの第２通信モジュール２２は、第２の電波を使用して、リーダライタ１の第２通信モジュール１２との間で双方向の無線通信を開始する（ステップＳ４）。
【００３６】
ここで、第２通信モジュール２２と第２通信モジュール１２の双方向の無線通信は、指向性が強く直進性のある第２の電波を使用するので、第１の電波に比べて比較的長い距離の通信が可能であるが（例えば、２〔ｍ〕程度）、障害物などがあると電波が届かず通信できない。
このため、第２の電波を使用してその両者の間で通信が可能な通信エリアＢは、図４に示すように予め設定され、例えば半径ｒ２の円となる。その通信エリアＢの大きさは、図４からわかるように、第１の電波による通信エリアＡの大きさよりも大きくなっている（ｒ１＜ｒ２）。
【００３７】
しかし、その通信エリアＢ内に第２通信モジュール２２があっても、その両者の置かれた相対的な関係（両者の相対的な位置や向き）の違いによって、通信ができたりできなかったりすることになる。また、通信エリアＡ内においても、同様のことが考えられる。
従って、この意味で、タグ装置２ａの第２通信モジュール２２がリーダライタ１の第２通信モジュール１２との間で行う無線通信は、タグ装置２ａが存在する位置に依存する度合いが低いので、位置非依存型の通信といえる。
【００３８】
このようにして、タグ装置２ａとリーダライタ１との間で第２の電波を使用した双方向の無線通信が開始されると、リーダライタ１は、受信ＩＤ番号、発信ＩＤ番号、機能番号、および所定の情報を同時にあるいは個別に、タグ装置２ａに対して送信する。
ここで、受信ＩＤ番号は、受信側であるタグ装置２ａを特定するためのものである。発信ＩＤ番号は、発信側であるリーダライタ１を特定するためのものである。機能番号は、動作させる機能モジュールの番号を示すものである。
【００３９】
そこで、タグ装置２ａの処理モジュール２６は、その送信されてきた受信ＩＤ番号を読み取り、この読み取った受信ＩＤ番号がメモリモジュール２４に記憶される受信ＩＤ番号と一致するか否かを判定する（ステップＳ５）。
その判定の結果、その両者が一致しない場合にはステップＳ１に戻り、それが一致する場合には、次のステップＳ６の処理に進む。
【００４０】
ステップＳ６では、リーダライタ１から送信されてきた発信ＩＤ番号、機能番号、および情報をそれぞれ読み取る。そして、その読み取った機能番号に基づいて該当する機能モジュールを起動させる（ステップＳ７）。
なお、第２の電波を使用するリーダライタ１とタグ装置２ａとの通信では、リーダライタ１が受信する第２の電波の強度はその両者の距離と相関があるので、その第２の電波の強度によってリーダライタ１はタグ装置２ａのおよその位置を計測できる。
【００４１】
（適用例）
次に、本発明の適用例について説明する。
（１）繁華街などに設置される広告媒体にリーダライタを付加しておき、タグ装置を所有し、その広告媒体に興味ある人間がそれに近づいたときに、そのタグ装置がリーダライタに反応して通信できるシステムに、本発明を適用することができる。
この場合に、そのリーダライタに対して、タグ装置からその所有者の履歴情報などを考慮した情報を流すことを可能にしたり、リーダライタからタグ装置に対して情報を流したりすることにより、インタラクションが可能になる。この結果、ＳＣＭの効果と、利用者の利便性の向上が図られる。
【００４２】
（２）従来のタグ装置を利用したプレゼンスシステムなどでは、部屋の中の一円でのプレゼンスしか検出できなかった。そこで、本発明のシステムは、例えば、コピー機やパーソナルコンピュータにリーダライタをそれぞれ付加しておき、コピー機やパーソナルコンピュータの各使用者がそれぞれタグ装置を携帯するシステムに適用できる。
この場合には、タグ装置を携帯する使用者がそのコピー機やパーソナルコンピュータに接近すると、リーダライタとタグ装置が通信をすることによって使用者の存在位置を判断し、この使用者の位置情報を利用することにより、各機器の連携動作が図れるとともに、その位置情報を用いてエアコンなどの効率的な制御が可能となる。
【００４３】
（３）玄関などに設置されるバイオメトリック認証システムなどと、タグ装置による認証を併用することができる。
この場合には、その玄関に設置されるバイオメトリック認証システムにさらにリーダライタを付加しておき、そのリーダライタに、タグ装置の所有者が接近したときに、タグ装置がリードライタと双方向の通信を行うことにより、実現するようにする。
すなわち、このときには、タグ装置は、メモリモジュールに予め記憶されているＩＤ番号、パスワードをリーダライタに送信することにより、リーダライタはそのタグ装置の所有者が本人であるか否かを認証することができる。
【００４４】
（４）家庭などの生活空間において、各部屋などに配置されるエアコン、テレビなどの家電製品にリーダライタを付加しておき、家族の者がタグ装置を携帯することにより、それらの家電製品の電源のオンオフ制御などを行うシステムに、本発明を適用できる。
【図面の簡単な説明】
【００４５】
【図１】本発明のＩＣタグシステムの実施形態の構成を示すブロック図である。
【図２】本発明のタグ装置の実施形態の構成を示すブロック図である。
【図３】タグ装置の通信処理例を示すフローチャートである。
【図４】本発明に係る通信エリアを説明する図である。
【符号の説明】
【００４６】
Ａ、Ｂ  通信エリア
１  リーダライタ
２、２ａ〜２ｃ  タグ装置
１１、２１  第１通信モジュール
１２、２２  第２通信モジュール
１３  メモリ
１４  制御部
１５  ＬＡＮアダプタ
２３  タイマモジュール
２４  メモリモジュール
２５  電池モジュール
２６  処理モジュール
２７  機能モジュール
２１１、２２１  アンテナ
【図１】
2007295168.tif 000003
【図２】
2007295168.tif 000004
【図３】
2007295168.tif 000005
【図４】
2007295168.tif 000006